(57)【要約】【課題】組み付け性を向上させた室内照明装置を提供する。【解決手段】意匠部２の収容ハウジング２ｄに揺動軸２ｅ，ｆを設け、スイッチノブ８には揺動孔８ｅ，ｆを設け、揺動軸２ｅ，ｆと揺動孔８ｅ，ｆとでスイッチノブ８を揺動可能に支持し、機能部３にはスイッチレバー７１を揺動可能に支持したスイッチユニット７を設け、意匠部２と機能部３とを組み付けることにより、スイッチノブ８とスイッチレバー７１が連結し、スイッチノブ８の揺動操作に連動してスイッチノブ８が揺動する室内照明装置１において、スイッチノブ８と意匠部２の揺動軸２ｅ，ｆとの間にスイッチノブ８の揺動範囲を規制する回動防止手段２ｇを設けたことを特徴とする。【選択図】図６
2008091212.tif 000002
【特許請求の範囲】
【請求項１】
意匠部の収容ハウジングに揺動軸を設け、スイッチノブには揺動孔を設け、前記揺動軸と前記揺動孔とでスイッチノブを揺動可能に支持し、機能部にはスイッチレバーを揺動可能に支持したスイッチユニットを設け、前記意匠部と前記機能部とを組み付けることにより、前記スイッチノブと前記スイッチレバーが連結し、前記スイッチノブの揺動操作に連動して前記スイッチノブが揺動する室内照明装置において、
前記スイッチノブと前記意匠部の揺動軸との間に前記スイッチノブの揺動範囲を規制する回動防止手段を設けたことを特徴とする室内照明装置。
【請求項２】
前記回動防止手段は、前記意匠部の裏側に設けられた前記収容ハウジングの相対向する側壁の前記揺動軸の端部に設けられた回動阻止部と、前記スイッチノブの裏側に設けられた規制部とからなることを特徴とする請求項１記載の室内照明装置。
【請求項３】
前記収容ハウジング内に設けられた前記揺動軸は相対向する大径の揺動軸と小径の揺動軸からなり、前記スイッチノブの前記揺動孔は相対向する大径の揺動孔と小径の揺動孔からなり、前記大径の揺動軸には前記大径の揺動孔が、前記小径の揺動軸には前記小径の揺動孔がそれぞれ嵌合することを特徴とすることを特徴とする請求項１又は２に記載の室内照明装置。
【発明の詳細な説明】
【技術分野】
【０００１】
本発明は、車両の室内に取り付けられる室内照明装置に関する。
【背景技術】
【０００２】
一般に、車両には、その天井に室内照明装置が設けられている。この室内照明装置としては、特許文献１に示すものが知られている。図１１（ａ）、（ｂ）に示す室内照明装置１０は、意匠部２０と機能部３０とから構成されており、天井板４０を挟み込むように組み付けられる。意匠部２０には、スイッチノブ２１が揺動支持部２２において揺動可能に支持されており、スイッチノブ２１の操作側と反対の裏側には被嵌合部２３が凹状に設けられている。また、機能部３０にはスイッチレバー３１が揺動支持部３２において揺動可能に支持されており、スイッチレバー３１の揺動支持部３２側には凸状の係合部３３が設けられている。
【０００３】
天井板４０に対し、意匠部２０と機能部３０とを組み付けると、被嵌合部２３と係合部３３とが嵌合し、スイッチノブ２１の操作に連動してスイッチレバー３１が揺動する構造となっている。スイッチ２１を操作すると、スイッチレバー３１により不図示の電気回路がＯＮ／ＯＦＦされ、室内照明装置１０の不図示のバルブが点灯されると、車両の室内が照明される。
【特許文献１】特開２００５−３２９８８４号公報
【発明の開示】
【発明が解決しようとする課題】
【０００４】
しかしながら、上述した室内照明装置１０においては、意匠部２０に取り付けられているスイッチノブ２１は揺動支持部２２で揺動可能に支持されているため、例えば、搬送時などに外力が加わった場合、意匠部２０と機能部３０とが組み付けられない位置（角度）までスイッチノブ２１が回動してしまうことがあり得る。この場合、係合部３３と被嵌合部２３との嵌合ができるように、スイッチノブ３１を一度嵌合できる位置まで戻す作業を行わなければならないため、意匠部２０と機能部３０との組み付け性が悪くなる虞がある。
【０００５】
そこで、外力に対してスイッチノブ２１の過大な回動を阻止するために、意匠部２０の本体とスイッチノブ２１との揺動支持部２２での嵌め合いを強固にすることも考えられるが、その場合、スイッチノブ２１の操作性が悪くなってしまう。
【０００６】
よって本発明は、上述した問題点に鑑み、組み付け性を向上させた室内照明装置を提供することを課題としている。
【課題を解決するための手段】
【０００７】
上記課題を解決するため本発明によりなされた請求項１記載の室内照明装置は、意匠部の収容ハウジングに揺動軸を設け、スイッチノブには揺動孔を設け、前記揺動軸と前記揺動孔とでスイッチノブを揺動可能に支持し、機能部にはスイッチレバーを揺動可能に支持したスイッチユニットを設け、前記意匠部と前記機能部とを組み付けることにより、前記スイッチノブと前記スイッチレバーが連結し、前記スイッチノブの揺動操作に連動して前記スイッチノブが揺動する室内照明装置において、前記スイッチノブと前記意匠部の揺動軸との間に前記スイッチノブの揺動範囲を規制する回動防止手段を設けたことを特徴とする。
【０００８】
請求項２記載の発明は、請求項１に記載の室内照明装置において、前記回動防止手段は、前記意匠部の裏側に設けられた前記収容ハウジングの相対向する側壁の前記揺動軸の端部に設けられた回動阻止部と、前記スイッチノブの裏側に設けられた規制部とからなることを特徴とする。
【０００９】
請求項３記載の発明は、請求項１又は２に記載の室内照明装置において、前記収容ハウジング内に設けられた前記揺動軸は相対向する大径の揺動軸と小径の揺動軸からなり、前記スイッチノブの前記揺動孔は相対向する大径の揺動孔と小径の揺動孔からなり、前記大径の揺動軸には前記大径の揺動孔が、前記小径の揺動軸には前記小径の揺動孔がそれぞれ嵌合することを特徴とする。
【発明の効果】
【００１０】
以上説明したように請求項１に記載した本発明の室内照明装置によれば、スイッチノブと意匠部の揺動軸部との間にスイッチノブの揺動範囲を規制する回動阻止手段を設けた。従って、外力によりスイッチノブが揺動範囲外に回動してしまうことが防止されるので、意匠部と機能部とが容易に組み付けられ、室内照明装置の組み付け性を向上させることができる。
【００１１】
請求項２に記載の発明によれば、請求項１の効果に加え、回動防止手段は、意匠部の裏側に設けられた収容ハウジングの相対向する側壁の揺動軸の端部に設けられた回動阻止部と、スイッチノブの裏側に設けられた規制部とからなる。従って、回動防止手段をスイッチノブの裏側で意匠カバーの表面より隠された位置に配置したので、意匠カバーの表面の見映えの低下を防ぐことができる。
【００１２】
請求項３に記載の発明によれば、請求項１又は２の効果に加え、収容ハウジング内に設けられた揺動軸は相対向する大径の揺動軸と小径の揺動軸からなり、スイッチノブの揺動孔は相対向する大径の揺動孔と小径の揺動孔とからなり、大径の揺動軸には大径の揺動孔が、小径の揺動軸には小径の揺動孔がそれぞれ嵌合するようにした。従って、スイッチノブが意匠カバーの収容ハウジングに誤った向きで組み付けられることが防止され、作業者は機械的に極誤組み付けを認識することができる。
【発明を実施するための最良の形態】
【００１３】
以下、本発明に係る室内照明装置の一実施の形態を、図１〜図１０の図面を参照して説明する。
【００１４】
図１〜図４に示すように、車両用の室内照明装置１は、主に合成樹脂により形成された意匠部２と機能部３を有している。図１において、意匠部２と合体された機能部３の本体３ａは、サングラスホルダーなどの中間部材５の開口５ａに挿入され、係合アーム３ｂが不図示の係合部と係合して中間部材５に保持される。さらに、この中間部材５は車両の室内の天井板であるルーフトリム４の開口４ａ内に保持される。そして、最後に図２（ルーフトリムと中間部材５は不図示）で示すようにルーフトリム４の裏側より電線Ｗで接続された照明ユニット６とスイッチユニット７とが機能部３の本体３ａに取り付けられてルーフモジュールＡが完成する。
【００１５】
照明ユニット６は、図２、図４に示すようにプッシュスイッチ６ａと、プッシュスイッチ６ａの押圧操作により点灯、及び、消灯されるバルブ６ｂとを有している。プッシュスイッチ６ａとバルブ６ｂとは導電性のバスバーなどにより電気的に接続されている。
【００１６】
スイッチユニット７は、図５〜図７に示すようにスイッチレバー７１、カバー７２、及びハウジング７３とから構成されている。スイッチレバー７１は、一端側に半円状の突出部７１ａとスイッチノブ８の被当接部８ｂに当接する当接部７１ｂと揺動孔７１ｃが貫通して設けられ、他端側には貫通孔７１ｄが形成されている。貫通孔７１ｄ内には、弾性部材としてのスプリング７１ｅと、スプリング７１ｅに対し一端側に係止球７１ｆ、他端側に導電性の接点７１ｇが位置するように収容されている。なお、係止球７１ｆはスプリング７１ｅにより弾性付勢されるようになっている。
【００１７】
カバー７２は、表面より開口７２ｅを挟んで一対の支持片７２ａが立設されており、相対向する面にはそれぞれ円柱状の揺動軸７２ｂが設けられている。また、カバー７２の裏側にはスリット７２ｄが形成された係合部７２ｃが設けられている。
【００１８】
ハウジング７３は、基部７３ａと基部７３ａに連続した略矩形状の筒体７３ｂとして形成されており、内部には係合突起７３ｃと縦長の溝７３ｄが形成されており、また、導電性のバスバーの一部である接触片７３ｅが３つ配置されている。そして、基部７３ｄには複数の係合アーム７３ｆが設けられている。
【００１９】
ここで、スイッチユニット７の組み立て方法について説明する。スイッチユニット７を組み立てるには、図５に示すように、スイッチレバー７１をカバー７２の開口７２ｅに挿入し、揺動孔７１ｃに揺動軸７２ｂを嵌合する。次に、スイッチレバーの貫通孔７１ｄ側をハウジング７３の筒体７３ｂ内に収容するように挿入し、カバー７２の係合部７２ｃのスリット７２ｄにハウジング７３の係合突起７３ｃを係合して組み立てが完了する。
【００２０】
上記により組み立てられたスイッチユニット７は、図６に示すように、スイッチレバー７１が揺動可能に保持され、スイッチレバー７１の係止球７１ｆがハウジング７３の溝７３ｄに嵌ることによりスイッチレバー７１が所定の位置に位置決めされる。
【００２１】
意匠部２は、機能部３の本体３ａに取り付けられる意匠カバー２ａと、意匠カバー２ａの両側に揺動可能に取り付けられる操作レンズ２ｂとにより構成され、室内照明装置１の表面を成している。
【００２２】
意匠カバー２ａは、表面よりスイッチノブ８が露出する開口２ｃを有しており、裏側にはスイッチノブ８を揺動可能に支持する収容ハウジング２ｄが形成されている。収容ハウジング２ｄは、図６と図９（ａ）、（ｂ）に示すように、相対向する側壁より一対の円柱状の揺動軸２ｅ，２ｆが設けられている。一方の揺動軸２ｅは大径に形成されており、他方の揺動軸２ｆは相対的に小径の軸として形成されて、大径の揺動軸２ｅの端部には回動阻止部２ｇが設けられている。回動阻止部２ｇは、平板状で意匠カバー２ａの表面側にはテーパ面２ｉを有する凹部２ｊが設けられた規制板２ｈとして形成されている。
【００２３】
スイッチノブ８は、図８に示すように、表面が搭乗者の操作部分として機能し、裏側にはスイッチレバー７１ａの突出部７１ａを収容する収容空間８ａと、収容空間８ａを介して当接部７１ｂと当接する被当接部８ｂが設けられている。また、一方の揺動係合部８ｃに隣接して収容ハウジング２ｄの規制板２ｈの凹部２ｊ内に位置する規制部８ｄが突出して設けられている。一方の揺動係合部８ｃは、切り欠き８ｇを有する大径の揺動孔８ｅを有し、他方は無端円状の小径の揺動孔８ｆとして形成されている。
【００２４】
ここで、意匠部２の意匠カバー２ａに設けられた収容ハウジング２ｄとスイッチノブ８との組み立て方法について説明する。意匠カバー２ａの収容ハウジング２ｄ内にスイッチノブ８を組み付けるには、意匠カバー２ａの表面側の開口２ｃより収容ハウジング２ｄ内にスイッチノブ８を挿入し、大径の揺動軸２ｅを大径の揺動孔８ｅへ、小径の揺動軸２ｆを小径の揺動孔８ｆへそれぞれ嵌合し、規制部８ｄを規制板２ｈの凹部２ｊ内に位置するように組み付ける。組み付けの際に、スイッチノブ８の方向を誤って逆にして組み付けようとしても、小径の揺動孔８ｆが大径の揺動軸２ｅと嵌合できない。さらに詳しく云うと、無端状の小径の揺動孔８ｆが大径の揺動軸２ｅの端部に形成されている規制板２ｈと干渉してしまう。従って、作業者は機械的に誤組み付けを認識することができる。
【００２５】
操作レンズ２ｂは、光を透過可能な合成樹脂で形成されており、機能部３の本体３ａに対し揺動可能に取り付けられている。表面には凹状の操作部２ｄが設けられ、裏側にはシボ加工が施されているとともに、図４に示すように照明ユニット６のプッシュスイッチ６ａが当接されている。従って、搭乗者が操作部２ｄを押圧すると、操作レンズ２ｂを介してプッシュスイッチ６ａが押圧され、バルブ６ｂのＯＮ／ＯＦＦが行えるようになっている。
【００２６】
次に上述した室内照明装置１が取り付けられるルーフモジュールＡの組み立て方法を図１、図２、図５を参照して以下に説明する。
【００２７】
まず、意匠カバー２ａの表面側の開口２ｃより収容ハウジング２ｄ内にスイッチノブ８を挿入し、大径の揺動軸２ｅを大径の揺動孔８ｅへ、小径の揺動軸２ｆを小径の揺動孔８ｆへそれぞれ嵌合する。すると、規制部８ｄが規制板２ｈの凹部２ｊ内に位置し、収容ハウジング２ｄ内にスイッチノブ８が揺動可能に取り付けられる。
【００２８】
次に、機能部３の本体３ａの中央に意匠カバー２ａを不図示の係止手段により取り付け、さらに、意匠カバー２ａの両側に操作レンズ３ｃを揺動可能に取り付ける。
【００２９】
次に、機能部３の本体３ａに照明ユニット６とスイッチユニット７とが取り付けられていない状態で、本体３ａを中間部材５の開口５ａ内に挿入し、係合アーム３ｂを不図示の係合部に係合し組み付け、さらに、ルーフトリム４の開口４ａに中間部材５を取り付ける。
【００３０】
最後に、ルーフトリム４の裏側より電線Ｗで接続された照明ユニット６とスイッチユニット７を本体２ａに取り付けることでルーフモジュールＡが完成する。
【００３１】
図６、図７に示すように室内照明装置１が組み立てられた状態では、スイッチユニット７は本体３ａの裏側の開口３ｅより挿入され、基部７３ｄがスイッチユニット保持部３ｄに係合アーム７３ｆを介して取り付けられる。そして、スイッチレバー７１の当接部７１ｂがスイッチノブ８の被当接部８ｂと当接すると共に、スイッチノブ８の揺動孔８ｅ、８ｆと、収容ハウジング２ｄの揺動軸２ｅ、２ｆと、カバー７２の揺動軸７２ｂ、７２ｂと、及び、スイッチレバー７１の揺動孔７１ｃが軸方向に並び一直線上の軸を形成する。従って、スイッチノブ８の操作によりスイッチレバー７１が揺動可能となる。また、スイッチレバー７１の半円状の突出部７１ａがスイッチノブ８の収容空間８ａに収容される。従って、搭乗者が意匠カバー２ａの開口２ｃより露出するスイッチノブ８を揺動操作することにより、スイッチレバー７１が連動して揺動し、電気回路のモード（バルブ６ｂが常灯、ドアに連動し点灯、常消など）を切り替えられるように成っている。また、スイッチユニット７の支持片７２ａが大径の揺動軸２ｅの規制板２ｈと隣接するので、支持片７２ａの過大な変位が規制され、揺動孔７１ｃから揺動軸７２ｂが外れることが防止される。
【００３２】
次に、室内照明装置の本発明に係るスイッチノブ８の回動防止手段を構成する回動防止部２ｇと規制部８ｄとの作用を図１０（ａ）、（ｂ）を用いて説明する。
【００３３】
意匠カバー２ａの収容ハウジング２ｄ内にスイッチノブ８を揺動可能に収容した状態では、回動阻止部２ｇの凹部２ｊ内に規制部８ｄが位置し、スイッチノブ８の揺動範囲は、規制凹部２ｊの２つのテーパ面２ｉ間の範囲に制限される。この揺動範囲とは、機能部３の本体３ａにスイッチユニット７を取り付けた際、スイッチノブ８がスイッチレバー７１に対し組み付くことが許容される範囲をいう。従って、外力によりスイッチノブ８が揺動範囲外に回動することが防止され、室内照明装置１の組み付け性を向上させることになる。
【００３４】
以上、本発明の室内照明装置１によれば、スイッチノブ８の裏側に揺動係合部８ｃと規制部８ｄを設け、意匠カバー２ａの裏側に設けられた収容ハウジング２ｄの側壁に揺動軸２ｅ、２ｆを設け、さらに揺動軸２ｆの端部に回動阻止部２ｇを設けたので、スイッチノブ８を収容ハウジング２ｄ内に揺動可能に収容した際、回動阻止手段を構成する回動防止部２ｇと規制部８ｄとを、スイッチノブ８の裏側で意匠カバー２ａの表面より隠れた位置に配置される。従って、意匠カバー２ａの表面側等を利用して回動防止手段を形成する場合に比べ、見映えの低下を防ぐことができる。
【００３５】
また、回動阻止部２ｇの凹部２ｊ内にスイッチノブ８の規制部８ｄが配置され、スイッチノブ８の揺動範囲が凹部２ｊの２つのテーパ面２ｉ間の範囲に制限される。従って、外力によりスイッチノブ８が揺動範囲外に回動してしまうことが防止され、室内照明装置１の組み付け性を向上さ、また、スイッチノブ８の揺動孔８ｅ、８ｆと収容ハウジング２ｄの揺動軸２ｅ、２ｆとの嵌め合いで回動防止手段を形成していないため、スイッチノブ８の操作性を悪くすることがない。
【００３６】
また、意匠カバー２ａの収容ハウジング２ｄにスイッチノブ８を回動可能に支持するために、大径の揺動軸２ｅを大径の揺動孔８ｅへ、小径の揺動軸２ｆを小径の揺動孔８ｅへそれぞれ嵌合するようにしたので、組み付けの際に、スイッチノブ８の方向を誤って逆にして組み付けようとしても、小径の揺動孔８２ａが大径の揺動軸９ａに嵌合できない。さらに詳しく云うと、無端状の小径の揺動孔８ｆが大径の揺動軸２ｅの端部に形成されている規制板２ｈと干渉してしまう。従って、作業者は機械的に誤組み付けを認識することができる。
【００３７】
さらに、室内照明装置１が組み立てられた状態では、スイッチユニット７の支持片７２ａが揺動軸２ｅの回動阻止部２ｇと隣接するので、支持片７２ａの過大な変位が規制され、揺動孔７１ｃから揺動軸７２ｂが外れることが防止される。
【００３８】
以上、前述した本発明に係る室内照明装置１は、本発明の代表的な形態を示したに過ぎず、本発明は前述した実施形態に限定されるものではない。即ち、本発明の骨子を逸脱しない範囲で種々変形して実施することができる。
【図面の簡単な説明】
【００３９】
【図１】本発明に係る室内照明装置の組み付け例を説明するための斜視図である。
【図２】室内照明装置の意匠部とスイッチユニットを示す分解斜視図である。
【図３】図１中のＢ−Ｂを通る矢印方向の断面図である。
【図４】図１中のＣ−Ｃを通る矢印方向の断面図である。
【図５】図１中のスイッチユニットの一例を示す分解斜視図である。
【図６】図１中のスイッチユニットの断面拡大図である。
【図７】図１中のスイッチユニットの長手方向における断面拡大図である。
【図８】スイッチノブの背面側を示す斜視図である。
【図９】意匠カバーをそれぞれ示し、（ａ）は断面図、（ｂ）は上面図である。
【図１０】スイッチユニットの動作を説明するための図であり、（ａ）は待ち受け状態、（ｂ）は揺動状態をそれぞれ示している。
【図１１】従来の室内照明装置の一例を示す分解斜視図であり、（ａ）は断面図、（ｂ）は分解断面図をそれぞれ示している。
【符号の説明】
【００４０】
１    室内照明装置
２    意匠部
２ｄ    収容ハウジング
２ｅ，ｆ    揺動軸
２ｇ    回動阻止部（回動防止手段）
２ｈ    規制板
２ｉ    テーパ面
２ｊ    凹部
３    機能部
６    照明ユニット
７    スイッチユニット
８    スイッチノブ
８ｅ，ｆ    揺動孔
７１    スイッチレバー
７２    カバー
７３    ハウジング
【図１】
2008091212.tif 000003
【図２】
2008091212.tif 000004
【図３】
2008091212.tif 000005
【図４】
2008091212.tif 000006
【図５】
2008091212.tif 000007
【図６】
2008091212.tif 000008
【図７】
2008091212.tif 000009
【図８】
2008091212.tif 000010
【図９】
2008091212.tif 000011
【図１０】
2008091212.tif 000012
【図１１】
2008091212.tif 000013